(57)【要約】【課題】電気機器と床面を固定する。【解決手段】  電気機器６００を床面に固定するための器具であって、電気機器６００と接続される第１の接続部４を有する第１の部材１と、床面と接続される第２の接続部５を有する第２の部材２と、高さ調整機構６と、を備え、第１の部材１と第２の部材２とは互いに対向する面７を有し、高さ調整機構６は対向する面７の距離を変更可能である。【選択図】図３
2020101302.tif 000002
【特許請求の範囲】
【請求項１】
電気機器を床面に固定するための器具であって、
前記電気機器と接続される第１の接続部を有する第１の部材と、
前記床面と接続される第２の接続部を有する第２の部材と、
高さ調整機構と、を備え、
前記第１の部材と前記第２の部材とは互いに対向する面を有し、
前記高さ調整機構は前記対向する面の距離を変更可能である、機器固定器具。
【請求項２】
請求項１に記載の機器固定器具において、
前記第１の部材と前記第２の部材とは分離可能である、機器固定器具。
【請求項３】
請求項１または２に記載の機器固定器具において、
前記第２の部材は接着層を有する、機器固定器具。
【請求項４】
請求項１ないし３の何れか一項に記載の機器固定器具において、
前記第１の部材と前記第２の部材のうち一方の部材は、他方の部材に対向する面に凸部を有し、
前記他方の部材は、前記凸部に対応する凹部を有する、機器固定器具。
【発明の詳細な説明】
【技術分野】
【０００１】
本発明は、機器固定器具に関する。
【背景技術】
【０００２】
一般的に宅内には、誘導加熱調理器や電子レンジといった電気機器が設置されている。これらの電気機器に対して人や地震によって外部から力が加わった場合に、電気機器が移動しないように、様々な機器固定器具が考案されている。
【０００３】
機器固定器具としては例えば、特許文献１には、調理器具の落下を防止するための、コンロ前面に設置するガードが記載されている。
【０００４】
また、特許文献２には、２×４用金具、Ｌ字形金具やその他ネジ等で木材等にとめる金具の、木材などに接する部分に、両面テープ・または接着剤が取り付けられた、両面テープ付き金具が記載されている。
【先行技術文献】
【特許文献】
【０００５】
【特許文献１】特開２００５−３２６１３２号公報
【特許文献２】特開２００４−１４３８９５号公報
【発明の概要】
【発明が解決しようとする課題】
【０００６】
前述した特許文献１は、電気機器の前面にガードがあることにより電気機器の落下を防止することができる。しかし、電気機器の機能が多数備わっている電気機器の前面にガードが重なることで、電気機器の機能の一部が制限されてしまう。
【０００７】
特許文献２は、電気機器が接するＬ字型の金具の面に、両面テープやネジ穴といった固定面を備えているため、電気機器の機能を制限することなく、電気機器を床などに固定することができる。これにより、電気機器の外部から電気機器に力が加わった場合でも、電気機器の移動を防止することが可能となっている。しかし、電気機器にＬ字型の金具を取り付けた状態で電気機器を設置場所においた場合、Ｌ字型の金具の固定面と設置場所の床との間に、スペースができてしまう恐れがあり、電気機器と床面と固定することができなかった。
【０００８】
本発明は、電気機器と床面を固定することを目的とする。
【課題を解決するための手段】
【０００９】
前記課題を解決するために、本発明に係る機器固定器具は、電気機器を床面に固定するための器具であって、前記電気機器と接続される第１の接続部を有する第１の部材と、前記床面と接続される第２の接続部を有する第２の部材と、高さ調整機構と、を備え、前記第１の部材と前記第２の部材とは互いに対向する面を有し、前記高さ調整機構は前記対向する面の距離を変更可能であるものである。
【発明の効果】
【００１０】
本発明によれば、電気機器と床面を固定することができる。
【図面の簡単な説明】
【００１１】
【図１】一実施例の誘導加熱調理器の斜視図
【図２】機器固定器具を有した一実施例の誘導加熱調理器の側面図
【図３】本発明の一実施形態である機器固定器具の斜視図
【図４】機器固定器具の取り付け状態を示す説明図
【図５】機器固定器具の設置状態を示す説明図
【図６】床面の高さが一定でない場合の、機器固定器具の取り付け状態を示す説明図
【図７】床面の高さが一定でない場合の、機器固定器具の設置状態を示す説明図
【図８】第１の部材１を第２の部材２から外す際の説明図
【図９】本発明の一実施形態である機器固定器具の斜視図
【発明を実施するための形態】
【００１２】
以下、図面等を用いて、本発明の実施例について説明する。以下の説明は本発明の内容の具体例を示すものであり、本発明がこれらの説明に限定されるものではない。本明細書に開示される技術的思想の範囲内において当業者による様々な変更および修正が可能であり、下記の実施例の構成を適宜組み合わせることも当初から予定している。また、本発明を説明するための全図において、同一の機能を有するものは、同一の符号を付け、その繰り返しの説明は省略する場合がある。
【００１３】
図１は、電気機器６００である誘導加熱調理器１０の斜視図である。なお、本明細書では電気機器として誘導加熱調理器１０を用いて説明をするが、電気機器は誘導加熱調理器に限られない。例えば、冷蔵庫、洗濯機、レンジ、空気清浄機、ファンヒータなどの宅内に据え置く電気機器であれば何でもよい。
【００１４】
誘導加熱調理器１０は、電気ヒータ等で被調理物（図示せず）を加熱するグリル庫２５を備え、金属製である被調理鍋（図示せず）の鍋底に渦電流を発生させて、この渦電流によるジュール熱によって被調理鍋を発熱させる据置タイプの誘導加熱調理器を示している。なお、誘導加熱調理器に相対したユーザの視線を基準として、図１等に示すように前後・上下・左右を定義する。
【００１５】
誘導加熱調理器１０の正面左側のグリル庫２５は、前後にスライドして被調理物（図示せず）を設置するためのドア部２６を正面に設けている。
【００１６】
トッププレート２０は、被調理鍋が載置される板状ガラス（図示せず）と、板状ガラスの四辺を保持する枠部（図示せず）で構成され、誘導加熱調理器１０の上から覆うように設置している。
【００１７】
このトッププレート２０は、二つの加熱コイル（図示せず）の設置位置に対応した二口の鍋載置部２１と、被調理鍋の火加減を調整するための操作部２２と、排気開口部２３とを有している。なお、排気開口部２３には、ファン装置（図示せず）から吹き出る空気を排出するための複数の孔を設けた排気カバー２４を載置している。
【００１８】
図２は、誘導加熱調理器１０に本発明の機器固定器具５００を取り付けた断面図である。機器固定器具５００は誘導加熱調理器１０とキッチン等の床面と接続されることで、誘導加熱調理器１０をキッチン等の床面に固定するものである。
【００１９】
機器固定器具５００は誘導加熱調理器１０の背面に取り付け可能であることから、誘導加熱調理器１０の前面に備えられている操作部等に機器固定器具５００が重なることがなく、誘導加熱調理器１０の機能を制限することはない。また、誘導加熱調理器１０に外部から力が加わったとしても、誘導加熱調理器１０が動くのを防止することができる。例えば、据置き型の誘導加熱調理器１０では、子供がグリル庫２５のドア２６の取手に捕まってぶら下がった場合に、誘導加熱調理器１０が動いてしまう恐れがある。また、据置き型の誘導加熱調理器１０はセクショナルキッチンに設置されることが多いと考えられるが、誘導加熱調理器１０をキッチンに実際に設置した際、誘導加熱調理器１０の側面と壁までのスペースは最低５ミリメートルしかないため、誘導加熱調理器１０の側面に機器固定器具５００取り付けるのは難しい。そのため、機器固定器具５００を誘導加熱調理器１０の背面に取り付け可能な構造にしている。
【００２０】
＜実施例１＞
図３は、本発明の一実施形態である機器固定器具５００の斜視図である。機器固定器具５００は、第１の部材１と第２の部材２から構成されている。第１の部材１は側面視でＬ字形状であって、Ｌ字の一面に、誘導加熱調理器１０と接続される第１の接続部４を有している。前述の一面とは別の面であって互いに成す角が略直角の面には、高さ調整機構６が設けられている。第２の部材２は側面視でコの字形状であって、高さ調整機構６が設けられている面と、床面と接続される面を有している。これらの２つの面は、後述する図４の通り、互いに対向している面である。なお、床面とは部屋の床の面だけを意味するのではなく、キッチンの面、机の面などでもよく、物が設置できる場所であればよい。
【００２１】
第１の部材１は、高さ調整機構６を介して第２の部材と接続している。本図では、高さ調整機構６としてネジを用いて説明したが、例えば第１の部材１と第２の部材２の、床面と垂直に位置する、互いに接する面に凹凸を備えている構造でもよい。高さ調整機構６を前述の構造にすることによって、第１の部材と第２の部材に備わる互いの凹凸が噛み合い、高さを調整することができる。
【００２２】
また、本図では、第１の部材の第１の接続部４はネジを用いている。しかし、第１の接続部４における接続方法はネジには限られなく、機器固定器具５００と誘導加熱調理器１０とを固定できるものであれば何でも良い。例えば接着層や、磁石による固定も考えられる。そして、第１の接続部としてネジを用いる場合には、第１の接続部４にはネジが螺合される開口部が設けられる。この開口部の数は用いるネジの数と同じ必要は無く、様々な電気機器に開口されている穴に対応できるように、複数の開口部が設けられていても良い。
【００２３】
第２の部材２において、高さ調整機構６が設けられている面に対向する面には、床面と接続される第２の接続部５として、接着層３を用いて床面と固定している。第２の接続部５としては、接着層３の代わりに両面テープや磁石などの使用が考えられる。
【００２４】
図４は機器固定器具５００の取り付け状態を示す説明図であり、図５は機器固定器具５００の設置状態を示す説明図である。機器固定器具５００は、第１の接続部４によって、誘導加熱調理器１０と接続している。第１の部材１と第２の部材２は、互いに対向する面７を有している。機器固定器具５００の上部に位置する高さ調整機構６を調節することで、高さ調節機構６が設けられている第１の部材１の面と、高さ調節機構６が設けられている第２の部材２の面とであって、互いに対向する面７の間の距離を変更可能である。本実施例では、高さ調整機構６を緩めることで、第１の部材１に対して第２の部材２が下がり、第２の接続部５である接着層３を介して機器固定器具５００が床面と接着する。これにより、電気機器の外部から電気機器に力が加わった場合でも、電気機器の移動を防止することが可能となる。また、本発明の機器固定器具５００は、上方から高さを調節可能である。よって、機器固定器具５００を背面に取り付けた電気機器である誘導加熱調理器１０を据置き位置に持って行った場合に、誘導加熱調理器１０と背面の壁との間に広い空間がなくても、誘導加熱調理器１０を床面に固定することができる。
【００２５】
図６は、床面の高さが一定でない場合の、機器固定器具５００の取り付け状態を示す説明図であり、図７は機器固定器具５００の設置状態を示す説明図である。図４の説明で前述した通り、高さ調整機構６を緩めることで、第１の部材１に対して第２の部材２が下がり、第２の接続部５である接着層３を介して機器固定器具５００が床面と接着する。これにより、機器固定器具５００と床面の固定面が誘導加熱調理器１０の設置場所の面と異なる面であっても、誘導加熱調理器１０を床面に固定することができる。本実施例においては、床に段差がある場合でも、誘導加熱調理器１０を床面に固定することができる。
【００２６】
図８は、誘導加熱調理器１０と床の接続を解除して、誘導加熱調理器を取り外す際の図である。機器固定器具５００と床の接続が弱い場合は、誘導加熱調理器１０を手前に引くことで接続を解除することが出来る。しかし、誘導加熱調理器１０が床にしっかりと固定されている場合は、誘導加熱調理器１０を手前に引いても接続を解除することが難しい。また、誘導加熱調理器１０と背面の壁との間に広い空間がなく、高さ調整機構６には手が届くが第２の接続部５には手が届かない場合は、誘導加熱調理器１０と床の接続を解除することは更に難しくなる。しかし、本実施例の機器固定器具５００は、高さ調整機構６を外すことで第１の部材１と第２の部材２とを分離可能である。これによって、機器固定器具５００を用いて床に誘導加熱調理器１０を設置した後でも、第２の接続部５と床の接続を解除せずに誘導加熱調理器１０を取り外すことができる。
【００２７】
また、誘導加熱調理器１０に第１の部材１を接続し、床に第２の部材２を接続した状態で、誘導加熱調理器１０を据置き位置に持って行き、高さ調整機構６で第１の部材１と第２の部材２を固定する方法も考えられる。
【００２８】
＜実施例２＞
図９は、図３とは異なる、本発明の一実施形態である機器固定器具５００の斜視図である。第１の部材１に凸部１００、第２の部材２に凹部１０２を備えるストッパ１０１を有する。これにより、高さ調整機構６を緩めた際に第２の部材を必要以上に下げすぎてしまい、電気機器である誘導加熱調理器１０が床面から浮くのを抑制することができる。凸部１００の形状は、突起でも、舌形状でもよく、飛び出していればよい。凹部１０２の形状は、板に穴を開けても、板を曲げて形成してもよい。また、凹凸の組み合わせは図９と逆でもよい。図９ではストッパ１０１に凹部１０２をあけているが、ストッパ１０１がコの字形状の場合は、コの字において対向する面の間にある空間が凹部１０２に該当する。
【００２９】
また、誘導加熱調理器１０に第１の部材１を接続し、床に第２の部材２を接続した状態で、誘導加熱調理器１０を据置き位置に持って行き、高さ調整機構６で第１の部材１と第２の部材２を固定する場合に、機器固定器具５００は誘導加熱調理器１０の背面に接続されているので、誘導加熱調理器１０が正しい場所に載置されたかを確かめるのは難しい場合が有る。しかし、実施例２の機器固定器具５００は、目視せずとも凸部１００と凹部１０２が嵌ったことをもって誘導加熱調理器１０が正しい位置に載置されたことを確認することができる。
【符号の説明】
【００３０】
１・・・第１の部材、
２・・・第２の部材
３・・・接着層
４・・・第１の接続部
５・・・第２の接続部
６・・・高さ調整機構
７・・・対向する面
１０・・・誘導加熱調理器（電気機器）
１００・・・凸部
１０１・・・ストッパ
１０２・・・凹部
５００・・・機器固定器具
６００・・・電気機器
【図１】
2020101302.tif 000003
【図２】
2020101302.tif 000004
【図３】
2020101302.tif 000005
【図４】
2020101302.tif 000006
【図５】
2020101302.tif 000007
【図６】
2020101302.tif 000008
【図７】
2020101302.tif 000009
【図８】
2020101302.tif 000010
【図９】
2020101302.tif 000011